(57)【要約】  【課題】ネットオークションシステムにおいて、自己のニーズに合った出品物の存在を事前に把握し、オークションでの落札を促すことができ、欲しい商品が出品されていた場合に見逃すことを防止する。  【解決手段】出品商品に関する出品情報を記憶する出品情報データベース１０と、応札希望者の希望商品に関するニーズ情報を記憶するニーズ情報データベース１１と、オークションサービスを提供するウェブサーバ５と、これらデータベースやウェブサーバ５を管理する管理サーバ６とを有し、管理サーバ６は、ニーズ情報又は出品情報の少なくともいずれか一方をウェブサーバ５から受信すると、出品情報とニーズ情報とを照合し、出品情報とニーズ情報とが一致している場合に、条件が一致する出品が存在する旨のメールを作成して出品情報と一致するニーズ情報を有する応札希望者に送信する。【選択図】        図１
2008299602.tif 000002
【特許請求の範囲】
【請求項１】
インターネット等のネットワークを利用したネットオークションシステムであって、
出品商品に関する出品情報を記憶する出品情報データベースと、応札希望者の希望商品に関するニーズ情報を記憶するニーズ情報データベースと、オークションサービスを提供するウェブサーバと、これらデータベースやウェブサーバを管理する管理サーバとを有し、
前記管理サーバは、
ニーズ情報又は出品情報の少なくともいずれか一方を前記ウェブサーバから受信する情報受信手段と、
受信した情報が出品情報である場合に該出品情報を前記ニーズ情報データベースに格納されたニーズ情報と照合し、受信した情報がニーズ情報である場合に該ニーズ情報を前記出品情報データベースに格納された出品情報と照合する情報照合手段と、
照合の結果、出品情報とニーズ情報とが一致している場合に、条件が一致する出品が存在する旨のメールを作成するメール作成手段と、
前記メール作成手段によって作成したメールを前記出品情報と一致するニーズ情報を有する応札希望者に対して送信する情報送信手段と
からなることを特徴とするネットオークションシステム。
【請求項２】
前記情報照合手段による照合の結果、出品情報とニーズ情報とが一部一致している場合であって、一部一致していない条件が、あらかじめ設定された必須条件でない場合に、前記メール作成手段により条件の一部が一致している出品が存在する旨のメールを作成することを特徴とする請求項１記載のネットオークションシステム。
【請求項３】
前記情報照合手段による照合の結果、一致していない条件が価格だけである場合に、前記メール作成手段は、価格以外の条件が一致している出品が存在する旨のメールを作成し、前記情報送信手段は、前記価格以外の条件が一致している出品情報を有する出品者及び前記価格以外の条件が一致しているニーズ情報を有する応札希望者に対して、作成したメールを送信することを特徴とする請求項１記載のネットオークションシステム。
【請求項４】
前記管理サーバは、前記情報照合手段による照合の結果、一致していない条件が価格だけである場合に、所定時間経過後に前記出品者又は前記応札希望者による価格変更の有無を判定する価格変更判定手段を更に備え、
前記情報照合手段は、前記価格変更判定手段により前記出品者又は前記応札希望者による価格変更があると判定された場合に、変更された価格に基づき前記ニーズ情報を前記出品情報と照合することを特徴とする請求項３記載のネットオークションシステム。
【発明の詳細な説明】
【技術分野】
【０００１】
本発明は、インターネットを利用したネットオークションシステム、より詳しくは、商品の出品情報とニーズ情報とのマッチングをオークションの前に事前に把握することが可能なネットオークションシステムに関する。
【背景技術】
【０００２】
近年、インターネットを利用した中古車オークションが行われている。中古車オークションにおいては、入札者が事業者である場合が一般的であるが、入札者が個人でも可能な個人オークションも行われている。
尚、ネットオークションに関連する技術としては、下記の特許文献１〜３等に示された技術が公知となっている。
【特許文献１】特開２００２−９９７７９号公報
【特許文献１】特開２００５−５０２８８号公報
【特許文献１】特開２００６−２６８６３５号公報
【発明の開示】
【発明が解決しようとする課題】
【０００３】
しかしながら、従来のネットオークションにおいては、オークションが開催される前に事前にオークションの出品情報と自己のニーズ情報とのマッチングは行われておらず、自分が買いたいものが出品されているか否かは、常にオークションサイトを確認している必要があり、見逃してしまうケースが頻繁に生じていた。また、自分が欲しいものとは完全には一致していないが、十分に許容できる商品等が出品されている場合でも、その存在に気づくことは難しく、見逃してしまう場合が殆どであった。
【０００４】
本発明は、係る事情に鑑みてなされたものであり、自己のニーズに合った出品物の存在を事前に把握し、オークションでの落札を促すことができ、欲しい商品が出品されていた場合に常にオークションサイトを見ていなくても、見逃すことを防止することが可能となり、また、自分が欲しいものとは完全に一致していなくても、十分に許容できる商品等が出品されている場合に、その商品を事前に把握することが可能なネットオークションシステムを提供することを主たる課題としている。
【課題を解決するための手段】
【０００５】
上記課題を解決するために、本発明に係るインターネットを利用したネットオークションシステムは、出品商品に関する出品情報を記憶する出品情報データベースと、応札希望者の希望商品に関するニーズ情報を記憶するニーズ情報データベースと、オークションサービスを提供するウェブサーバと、これらデータベースやウェブサーバを管理する管理サーバとを有し、前記管理サーバは、ニーズ情報又は出品情報の少なくともいずれか一方を前記ウェブサーバから受信する情報受信手段と、受信した情報が出品情報である場合に該出品情報を前記ニーズ情報データベースに格納されたニーズ情報と照合し、受信した情報がニーズ情報である場合に該ニーズ情報を前記出品情報データベースに格納された出品情報と照合する情報照合手段と、照合の結果、出品情報とニーズ情報とが一致している場合に、条件が一致する出品が存在する旨のメールを作成するメール作成手段と、前記メール作成手段によって作成したメールを前記出品情報と一致するニーズ情報を有する応札希望者に対して送信する情報送信手段とからなることを特徴としている。
【０００６】
したがって、出品情報とニーズ情報とが一致している場合に、一致したニーズ情報を有する応札希望者に対して条件が一致する出品が存在する旨のメールが送信されるので、応札希望者はオークションの開催前に自己のニーズに合った出品物が存在することを把握することが可能となる。
【０００７】
また、本発明に係るインターネットを利用したネットオークションシステムは、前記情報照合手段による照合の結果、出品情報とニーズ情報とが一部一致している場合であって、一部一致していない条件が、あらかじめ設定された必須条件でない場合に、前記メール作成手段により条件の一部がマッチングしている出品が存在する旨のメールを作成するようにしてもよい。
【０００８】
このような構成においては、自分が欲しいものとは完全に一致していないが、必須条件が一致していれば、必須条件以外の条件が一致していない場合でも十分に許容できる出品物である場合もあることから、事前にそのような出品物を把握することでオークションでの落札を促すことが可能となる。
【０００９】
さらに、前記情報照合手段による照合の結果、一致していない条件が価格だけである場合に、前記メール作成手段は、価格以外の条件が一致している出品が存在する旨のメールを作成し、前記情報送信手段は、価格以外の条件が一致している出品情報を有する出品者及び価格以外の条件が一致しているニーズ情報を有する応札希望者に対して、作成したメールを送信するようにしてもよい。
このような構成によれば、一致していない条件が価格だけである場合に、出品者及び応札希望者に価格について再考する機会を設けることで落札を促すことが可能となる。
【００１０】
また、このような構成において、前記管理サーバは、前記情報照合手段による照合の結果、一致していない条件が価格だけである場合に、所定時間経過後に出品者又は応札希望者による価格変更の有無を判定する価格変更判定手段を更に設け、情報照合手段は、前記価格変更判定手段により出品者又は応札希望者による価格変更があると判定された場合に、変更された価格に基づき前記ニーズ情報を前記出品情報と照合するようにしてもよい。
このような構成を設けることで、出品者又は応札希望者が価格について再考した結果、価格を変更した場合には、変更された価格に基づき、情報照合手段による照合が自動的に再度行われるので、出品者又は応札希望者の再考した価格を反映させた適切な照合を行うことが可能となる。
【発明の効果】
【００１１】
以上述べたように、本発明に係るネットオークションシステムは、出品情報とニーズ情報とが一致している場合に、一致したニーズ情報を有する応札希望者に対してニーズ情報に一致する出品が存在する旨のメールがオークション開催前に事前に送信されるので、応札希望者はオークションの開催前に自己のニーズに合った出品物が存在することを把握することが可能となり、オークションでの落札を促すことが可能となる。また、欲しい商品が出品されていた場合に、常にオークションサイトを見ていなくても見逃すことを防止することが可能となる。
【００１２】
特に、照合の結果、出品情報とニーズ情報とが一部一致している場合であって、一部一致していない条件が、あらかじめ設定された必須条件でない場合に、条件の一部が一致している出品がある旨のメールを応札希望者に送信すれば、十分に許容できる範囲の出品物が出品されることを事前に把握することが可能となり、オークションでの落札を促すことが可能となる。
【００１３】
また、一致していない条件が価格だけである場合に、価格以外の条件が一致している出品が存在する旨のメールを出品者及び応札希望者に対して送信すれば、出品者及び応札希望者に対して価格について再考する機会を与えることが可能となり、落札を促すことが可能となる。
この際、所定時間経過後に出品者又は応札希望者による価格変更がある場合に、変更された価格で前記情報照合手段による照合を再度行うようにすれば、出品者又は応札希望者の再考した価格を反映させた適切な照合を行うことが可能となり、オークションでの落札を促すことが可能となる。
【発明を実施するための最良の形態】
【００１４】
以下、本発明のネットオークション運営システムの実施形態を添付図面を参照しながら説明する。この例においては、出品者が査定店に車を持ち込み、査定店で車を査定した後にオークションに出品する中古車流通市場におけるネットオークションシステムについて説明する。
【００１５】
図１において、本発明に係るネットオークションシステムの構成を示す模式図が示されている。このネットオークションシステムは、インターネット１に接続されたネットオークション運営会社２と、出品者の車両を査定すると共にオークションへの出品取次を行う査定店が所有する査定店端末３と、応札希望者（以下、会員）が所有する会員端末４とを有して構成されている。
【００１６】
ネットオークション運営会社２は、オークションサービスを提供するウェブサーバ５と、このウェブサーバ５を管理する管理サーバ６と、データベースサーバ７とを有し、これら管理サーバ６、ウェブサーバ５、及びデータベースサーバ７は、情報処理装置として必要な機能（通信手段、記憶手段、制御部等）を備えており、インターネット１に接続するルータ８にＬＡＮ伝送路９を介して接続されている。
【００１７】
データベースサーバ７は、出品者のオークションに関する出品情報を記憶する出品情報データベース１０と、出品物に対する会員のニーズ情報を記憶したニーズ情報データベース１１とを備えている。
【００１８】
ここで、出品情報データベース１０には、図２（ａ）に示されるように、出品者番号、出品者名、車種、メーカー、色、走行距離、年式、売却希望価格、査定店での査定状況等のオークションの出品に関する諸情報が出品番号に対応づけて格納されている。
【００１９】
また、ニーズ情報データベースには、図２（ｂ）に示されるように、会員番号、会員名、住所、メールアドレス、車種、メーカー、色、走行距離、年式、購入希望価格、査定店での査定状況、ニーズ情報の中で必須となる条件（必須条件）等がニーズ番号に対応づけて格納されている。
【００２０】
管理サーバ６は、情報処理装置として必要な機能の他に、図１に示されるように、情報受信手段、情報照合手段、メール作成手段、情報送信手段、価格変更判定手段を備えている。以下に、これらの手段について説明するが、実際には、常駐する所定のプログラムによりハードウエア資源との協働により具現される。
【００２１】
情報受信手段は、ウェブサーバ５が提供するオークションのウェブサイトを介して査定店端末３からウェブサーバ５に入力された出品情報、又は、会員端末４から前記ウェブサーバ５に入力されたニーズ情報をウェブサーバ５から受信する手段である。
【００２２】
情報照合手段は、ウェブサーバ５から受信した情報（出品情報又はニーズ情報）とデータベースサーバ７のデータベース内の情報（受信した情報が出品情報である場合にはニーズ情報データベースに格納されたニーズ情報、受信した情報がニーズ情報である場合には出品情報データベースに格納された出品情報）とを照合するもので、図２に示される出品情報とニーズ情報の「車種」、「メーカー」、「色」、「走行距離」、「年式」、希望価格（出品情報にあっては「売却希望価格」、ニーズ情報にあっては「購入希望価格」）、「査定店での査定状況」のそれぞれについて、一致するか否かを照合する手段である。また、後述する価格変更判定手段により、出品者又は会員による価格の変更があったと判定された場合に、変更された価格でニーズ情報と出品情報とを再照合する手段をも有している。
【００２３】
メール作成手段は、照合の結果、出品情報とニーズ情報とが一致している場合、即ち、全ての出品情報とニーズ情報とが完全一致している場合や、出品情報とニーズ情報とが一部一致している場合に、全ての条件または一部の条件が一致した出品が存在する旨のメールを作成する手段である。
【００２４】
情報送信手段は、メール作成手段が作成したメールを出品情報と一致（完全一致又は一部一致）するニーズ情報を有する会員に対してニーズ情報データベースに登録されたメールアドレスへメール送信する手段である。この情報送信手段は、価格以外の条件が一致している場合（価格のみが一致していない場合）には、会員のみならず出品者に対しても作成したメールを送信する。
【００２５】
価格変更判定手段は、情報照合手段による照合の結果、一致していない条件が価格だけである場合に、所定時間経過後に出品者又は会員による価格変更の有無を判定する手段である。
【００２６】
図３及び図４において、本発明に係るネットオークションシステムの動作処理例がフローチャートとして示され、以下、このフローチャートに基づき本システムの動作処理例を説明する。
【００２７】
尚、ここで示される処理例は、サーバで読み取ることが可能な制御プログラムをＲＯＭチップやＣＤ−ＲＯＭ等の記憶媒体を介して供給することにより、或いは、ネットワークを介して配信すること等によって各サーバにインストールし、このインストールされた制御プログラムを実行させることで行なわれる。
【００２８】
先ず、図３に示されるフローチャートは、出品者が査定店に車を持ち込み、査定店が持ち込まれた車を査定した後に査定店端末３から査定情報を含む出品情報をウェブサーバ５に入力した場合の動作処理例を示す。
【００２９】
出品者は、出品する中古車を査定店に持って行き、オークションへの出品依頼をすると、査定店は、持ち込まれた車両を査定して、前記図２（ａ）に示される出品に必要な諸条件（出品情報）を査定店端末３を介してウェブサーバ５に入力する（ステップ５０）。ウェブサーバ５はこれを受けて入力された出品情報を管理サーバ６へ送信する（ステップ５２）。
【００３０】
管理サーバ６は、この出品情報をウェブサーバ５から受信すると（ステップ５４）、受信した出品情報をニーズ情報データベース１１に格納されているニーズ情報と照合する（ステップ５６）。この照合は、ニーズ情報データベース１１に格納された既存のニーズ情報のそれぞれについて（出品情報とニーズ情報の「車種」、「メーカー」、「色」、「走行距離」、「年式」、希望価格（売却希望価格、購入希望価格）、「査定店での査定状況」等のそれぞれについて）、一致するか否かを判定する。尚、走行距離にあっては、ニーズ情報に幅を持たせておき、その走行距離の範囲に出品情報の走行距離が含まれるか否かを判定する。
【００３１】
そして、管理サーバ６は、照合の結果、すべての条件が一致するニーズ情報があるか否かを判定し（ステップ５８）、全ての条件が一致するニーズ情報があると判定された場合には、全ての条件が一致する出品が存在する旨のメールを作成し（ステップ６０）、条件の一致したニーズ情報を有する会員に対して作成したメールを送信する（ステップ６２）。この送信されるメールには、条件が完全一致している出品物の情報だけでなく、その出品物のオークションが次回いつ行われるかについての情報が含められる。
【００３２】
また、出品情報についてオークションのウェブサイトを更新すると共に出品情報データベース１０を更新する（ステップ６４）。このサイトの更新においては、入力された新たな出品情報が追加されると共に条件が完全一致している旨も表示され、出品情報データベースの更新においては、入力された新たな出品情報が追加される。
【００３３】
これに対して、ステップ５８において、照合の結果、全ての条件が一致するニーズ情報はないと判定された場合には、一致しない条件が価格だけであるか否かが判定され（ステップ６６）、一致しない条件が価格だけであり、他の条件は一致していると判定された場合には、価格以外の条件が一致する出品が存在する旨のメールを作成し（ステップ６８）、作成したメールを価格以外の条件が一致したニーズ情報を有する会員に対して送信すると共に出品者に対して送信する（ステップ７０）。このメールの送信においては、価格以外の条件が一致している情報だけでなく、その出品物のオークションが次回いつ行われるかについての情報が含められる。
【００３４】
そして、出品情報についてオークションのウェブサイトを更新すると共に出品情報データベース１０を更新する（ステップ７２）。このサイトの更新においては、入力された新たな出品情報が追加されると共に価格以外の条件が一致している旨も表示され、出品情報データベース１０の更新においては、入力された新たな出品情報が追加される。
【００３５】
その後、所定時間待機し（ステップ７４）、出品者及び会員に希望価格を見直す機会を与え、所定時間経過した後に出品者または会員による希望価格の変更があったか否かを判定する（ステップ７６）。この判定の結果、希望価格の変更があったと判定された場合には、ステップ５６以下のステップを繰り返し、希望価格の変更がないと判定された場合には、本フローの処理を終了する。
【００３６】
ステップ６６において、価格以外で一致しない条件があると判定された場合には、一致しない条件がニーズ情報の入力時に会員が特定した必須条件か否かを判定し（ステップ７８）、一致しない条件が必須条件であると判定された場合には、許容できる商品ではないので、出品情報についてオークションのウェブサイトを更新すると共に出品情報データベース１０を更新し、本フローの処理を終える（ステップ８０）。
【００３７】
これに対して、一致しない条件が必須条件ではないと判定された場合には、条件の一部が一致する出品が存在する旨のメールを作成し（ステップ８２）、条件の一部が一致したニーズ情報を有する会員に対して、作成したメールを送信する（ステップ８４）。このメールの送信においては、条件の一部が一致している情報だけでなく、その出品物のオークションが次回いつ行われるかについての情報が含められる。
【００３８】
そして、出品情報についてオークションのウェブサイトを更新すると共に出品情報データベース１０を更新する（ステップ８６）。このサイトの更新においては、入力された新たな出品情報が追加されると共に条件の一部が一致している旨も表示され、出品情報データベース１０の更新においては、入力された新たな出品情報が追加される。
【００３９】
したがって、出品情報とニーズ情報とが一致している場合に、一致したニーズ情報を有する会員に対して条件が一致する出品が存在する旨のメールがオークションの前に事前に送信されるので、会員はオークションの開催前に自己のニーズに合った出品物が存在することを把握することが可能となり、オークションでの落札を促すことが可能となる。また、欲しい商品が出品されていた場合に、常にオークションサイトを見ていなくても見逃すことを防止することが可能となる。しかも、送信されるメールには、オークションの開催情報も含まれているので、欲しい商品のオークションに確実に参加することが可能となり、また、出品情報とニーズ情報のマッチングに関する情報がウェブサイトに表示されるので、他の会員もその情報を把握することができ、オークションの活性化を一層図ることが可能となる。
【００４０】
また、一致していない条件が価格だけである場合に、価格以外の条件が一致している出品が存在する旨のメールが出品者及び価格以外の条件が一致するニーズ情報を有する会員に対して送信されるので、出品者及び会員に対して価格について再考する機会を与えることが可能となり、落札を促すことが可能となる。
【００４１】
しかも、一致していない条件が価格だけである場合には、所定時間経過後に出品者又は会員による価格変更の有無を判定し、価格変更がある場合に、変更された価格で出品情報とニーズ情報との照合を再度行うようにしているので、出品者又は会員の再考した価格を反映させた適切な照合を行うことが可能となる。
【００４２】
さらに、出品情報とニーズ情報とが一部一致している場合であって、一部一致していない条件が、あらかじめ設定された必須条件でない場合に、条件の一部が一致している出品がある旨のメールが、当該ニーズ情報を有する会員に送信されるので、十分に許容できる範囲の出品物が出品されることを事前に把握することが可能となり、オークションでの落札を促すことが可能となる。
【００４３】
以上の構成は、出品情報をウェブサーバ５に入力した場合の例であるが、会員が自身の端末（会員端末４）からニーズ情報をウェブサーバ５に入力した場合のフローチャートが図４に示されている。
【００４４】
以下、このフローチャートについて説明する。会員は、自己が望む中古車の購入希望条件をニーズ情報として会員端末４を介してウェブサーバ５に入力する（ステップ９０）。ウェブサーバ５はこれを受けて入力されたニーズ情報を管理サーバ６へ送信する（ステップ９２）。
【００４５】
管理サーバ６は、このニーズ情報をウェブサーバ５から受信すると（ステップ９４）、受信したニーズ情報を出品情報データベース１０に格納されている出品情報と照合する（ステップ９６）。この照合は、出品情報データベース１０に格納されている既存の出品情報のそれぞれについて（出品情報とニーズ情報の「車種」、「メーカー」、「色」、「走行距離」、「年式」、希望価格（売却希望価格、購入希望価格）、「査定店での査定状況」等のそれぞれについて）、一致するか否かを判定する。尚、走行距離にあっては、ニーズ情報に幅を持たせておき、その走行距離の範囲に出品情報の走行距離が含まれるか否かを判定する。
【００４６】
そして、管理サーバ６は、照合の結果、すべての条件が一致する出品があるか否かを判定し（ステップ９８）、全ての条件が一致する出品があると判定された場合には、全ての条件が一致する出品が存在する旨のメールを作成し（ステップ１００）、会員に対して作成したメールを送信する（ステップ１０２）。このメールの送信においては、条件が完全一致している情報だけでなく、その出品物のオークションが次回いつ行われるかについての情報が含められる。
【００４７】
また、ニーズ情報についてオークションのウェブサイトを更新すると共にニーズ情報データベース１１を更新する（ステップ１０４）。このサイトの更新においては、入力された新たなニーズ情報が追加されると共に条件が完全一致している旨も表示され、ニーズ情報データベース１１の更新においては、入力された新たなニーズ情報が追加される。
【００４８】
これに対して、ステップ９８において、照合の結果、全ての条件が一致する出品はないと判定された場合には、一致しない条件が価格だけであるか否かが判定され（ステップ１０６）、一致しない条件が価格だけであり、他の条件は一致していると判定された場合には、価格以外の条件が一致する商品が存在する旨のメールを作成し（ステップ１０８）、作成したメールを会員に対して送信すると共に価格以外の条件が一致した出品情報を有する出品者に対して送信する（ステップ１１０）。このメールの送信においては、価格以外の条件が一致している情報だけでなく、その出品物のオークションが次回いつ行われるかについての情報が含められる。
【００４９】
そして、ニーズ情報についてオークションのウェブサイトを更新すると共にニーズ情報データベース１１を更新する（ステップ７２）。このサイトの更新においては、入力された新たなニーズ情報が追加されると共に価格以外の条件が一致している旨も表示され、ニーズ情報データベース１１の更新においては、入力された新たなニーズ情報が追加される。
【００５０】
その後、所定時間待機し（ステップ１１４）、会員及び出品者に希望価格を見直す機会を与え、所定時間経過した後に会員または出品者による希望価格の変更があったか否かを判定する（ステップ１１６）。この判定の結果、希望価格の変更があったと判定された場合には、ステップ９６以下のステップを繰り返し、希望価格の変更がないと判定された場合には、本フローの処理を終了する。
【００５１】
ステップ１０６において、価格以外で一致しない条件があると判定された場合には、一致しない条件がニーズ情報の入力時に会員が特定した必須条件か否かを判定し（ステップ１１８）、一致しない条件が必須条件であると判定された場合には、許容できる商品ではないので、ニーズ情報についてオークションのウェブサイトを更新すると共にニーズ情報データベース１１を更新し、本フローの処理を終える（ステップ１２０）。
【００５２】
これに対して、一致しない条件が必須条件ではないと判定された場合には、条件の一部が一致する出品が存在する旨のメールを作成し（ステップ１２２）、会員に対して、作成したメールを送信する（ステップ１２４）。このメールの送信においては、条件の一部が一致している情報だけでなく、その出品物のオークションが次回いつ行われるかについての情報が含められる。
【００５３】
そして、ニーズ情報についてオークションのウェブサイトを更新すると共にニーズ情報データベース１１を更新する（ステップ１２６）。このサイトの更新においては、入力された新たなニーズ情報が追加されると共に条件の一部が一致している旨も表示され、ニーズ情報データベース１１の更新においては、入力された新たなニーズ情報が追加される。
【００５４】
したがって、ニーズ情報と出品情報とが一致している場合に、会員に対して条件が一致する出品が存在する旨のメールがオークションの前に事前に送信されるので、会員はオークションの開催前に自己のニーズに合った出品物が存在することを把握することが可能となり、オークションでの落札を促すことが可能となる。また、欲しい商品が出品されていた場合に、常にオークションサイトを見ていなくても、逃すことを防止することが可能となる。しかも、送信されるメールには、オークションの開催情報も含められるので、欲しい商品のオークションに確実に参加することが可能となり、また、出品情報とニーズ情報のマッチングに関する情報がウェブサイトに表示されるので、他の会員もその情報を把握することができ、オークションの活性化を一層図ることが可能となる。
【００５５】
また、一致していない条件が価格だけである場合に、価格以外の条件が一致している出品が存在する旨のメールが会員及び価格以外の条件が一致した出品情報を有する出品者に対して送信されるので、会員及び出品者に対して価格について再考する機会を与えることが可能となり、落札を促すことが可能となる。
【００５６】
しかも、一致していない条件が価格だけである場合には、所定時間経過後に出品者又は会員による価格変更の有無を判定し、価格変更がある場合に、変更された価格で出品情報とニーズ情報との照合を再度行うようにしているので、出品者又は会員の再考した価格を反映させた適切な照合を行うことが可能となる。
【００５７】
さらに、ニーズ情報と出品情報とが一部一致している場合であって、一部一致していない条件が、あらかじめ設定された必須条件でない場合に、条件の一部が一致している出品がある旨のメールが会員に送信されるので、十分に許容できる範囲の出品物が出品されることを事前に把握することが可能となり、オークションでの落札を促すことが可能となる。
【００５８】
尚、以上述べた図３で示す出品情報を入力した場合の照合と、図４で示すニーズ情報を入力した場合の照合は、それぞれ単独で用いるようにしても、両方を併用するようにしてもよい。また、図３で示す出品情報の入力する例は、出品者が車を査定店に持ち込み、査定店が査定結果と共に他の出品情報を入力する場合の例を示したが、出品者が自身の端末から自己申告により出品情報を入力し、同様の照合を行うようにしてもよい。この場合に、出品情報データベース１０の「査定店での査定状況」の項目は、自己申告による評価としても、この項目を無くして運用してもよい。
【図面の簡単な説明】
【００５９】
【図１】図１は、本発明に係るネットオークションシステムの構成例を示す模式図である。
【図２】図２は、データベースの構成例を示す図であり、図２（ａ）は、出品情報データベースの構成例を示す図であり、図２（ｂ）はニーズ情報データベースの構成例を示す図である。
【図３】図３は、本発明に係るネットオークションシステムの動作処理例を示すフローチャートであり、出品者が査定店に車を持ち込み、査定店が出品情報を入力する場合の例を示す。
【図４】図４は、本発明に係るネットオークションシステムの動作処理例を示すフローチャートであり、会員（応札希望者）が自身の端末からニーズ情報を入力する場合の例を示す。
【符号の説明】
【００６０】
５  ウェブサーバ
６  管理サーバ
１０  出品情報データベース
１１  ニーズ情報データベース
【図１】
2008299602.tif 000003
【図２】
2008299602.tif 000004
【図３】
2008299602.tif 000005
【図４】
2008299602.tif 000006